(57)【要約】本発明の男性用陰茎ジェルク運動装置は、陰茎に挿入されるもので、陰茎が挿入される中空部を有し、亀頭と隣接する側を把持して引っ張るための牽引部と、前記牽引部から陰茎を包み、陰茎基部の体の側に延長されて体と接触されることによって亀頭を前面側に移動させる牽引力を提供する弾性牽引部とを備えた本体部、及び足または体に結合される締結部と、前記本体部の牽引部にかけられるもので、投げ縄からなる結合部と、前記結合部と締結部とを連結し、陰茎を牽引するための弾性力を提供する弾性バンド部とを含む牽引ユニットを備える。
2020510468.tif 000002
【特許請求の範囲】
【請求項１】
陰茎が挿入される中空部を有し、亀頭と隣接する側を把持して引っ張るための牽引部と、前記牽引部から陰茎を囲んで陰茎基部の体の側に延長されて体と接触されることによって亀頭を前面側に移動させる牽引力を提供する弾性牽引部とを備えた本体部、及び
足または体に結合される締結部と、前記本体部の牽引部にかけられるもので投げ縄からなる結合部と、前記結合部と締結部とを連結して陰茎を牽引するための弾性力を提供する弾性バンド部とを含む牽引ユニットを備えたことを特徴とする男性用陰茎ジェルク運動装置。
【請求項２】
前記牽引部は、長さ方向の少なくとも一側の厚さが内方の厚さよりも厚く巻取力を利用して把持力を提供するバンドを備え、前記本体部の端部が後方に折り返されて前記バンドを包むことによって、前記結合部が結合される環状の結合引入溝が形成されることを特徴とする請求項１に記載の男性用陰茎ジェルク運動装置。
【請求項３】
前記本体部は、弾性を有するシリコーンからなり、前記弾性牽引部は、前記本体部の牽引部を前面側に移動させるために蛇形のしわが形成されてなることを特徴とする請求項１に記載の男性用陰茎ジェルク運動装置。
【請求項４】
前記弾性牽引部に、前記弾性牽引部を長さ方向に弾性変形させるための弾性コア部材をさらに備えたことを特徴とする請求項３に記載の男性用陰茎ジェルク運動装置。
【請求項５】
前記本体部の後端部である弾性牽引部の後端部側に、睾丸を包んで股ぐらから分離して圧力を提供する睾丸リングをさらに備えたことを特徴とする請求項１に記載の男性用陰茎ジェルク運動装置。
【請求項６】
陰茎が挿入される中空部を有し、亀頭部と隣接する側を把持して陰茎を引長させるための牽引部を有する本体部と、前記本体部と陰茎基部側の体の間の陰茎に挿入されて陰茎を引張する方向に弾性バイアスさせるための少なくとも一つの弾性支持リングを備えたことを特徴とする男性用陰茎ジェルク運動装置。
【請求項７】
前記牽引部は、相対的に直径の大きい牽引本体部と、前記牽引本体部から延長されるバンド巻取部と、外側で後方側へ折り返されるバンディング部と、前記バンド巻取部に設置される固定結合バンドを備えたことを特徴とする請求項６に記載の男性用陰茎ジェルク運動装置。
【発明の詳細な説明】
【技術分野】
【０００１】
本発明は、男性用陰茎ジェルク運動装置に関するもので、さらに詳しくは、陰茎への牽引力を高めることができ、陰茎との結合及び分離が容易であり、持続的な引張または牽引力を提供することができる男性用陰茎ジェルク運動装置に関するものである。
【背景技術】
【０００２】
一般に、陰茎は、男性の性器官であるとともに尿道の一部を取り囲む円柱状の勃起性組織で、外部を成す一対の陰茎海綿体と内部に一つの尿道海綿体を有し、縦端に陰茎亀頭が形成されている。
【０００３】
このような陰茎は、心理的肉体的刺激によって多量の血液が陰茎の内部に流入し、陰茎海綿体が拡張することによって性機能を可能にする。しかしながら、陰茎の血液循環がうまく行われず長さが正常でない勃起不全のように、心理的肉体的刺激を受けても陰茎がうまく拡大されない性機能障害要因があって正常な性生活を営むことができないという問題点がある場合、泌尿器科の内外科的手術を通じて正常な性機能を保持することができるようにしている。
【０００４】
また、陰茎は、その形状において長さ方向に形成されることが正しい形状であるが、誤った性生活や姿勢などにより陰茎が一方に曲がったり撓んだ彎曲症の場合、外科的手術よりもその形状を矯正することができる矯正装置が必要である。
【０００５】
しかしながら、このような陰茎の矯正のための製品は発売されていない。また、彎曲症とともに、そのサイズが一般人よりも小さい陰茎矮小症の場合には、心理的な萎縮感とともに正常な性生活を阻害する原因となっているため、多くの男性が高費用をかけて補助機器や外科的手術を通じて陰茎のサイズを拡大しているのが実情である。
【０００６】
このような従来の彎曲症を治療するための矯正装置は、アメリカ特許公報ＵＳ７２７６０４０（２００７．１０．２．登録）に開示されている。この矯正装置は、男性の陰茎を固定角度で支持するために陰茎の末端とは反対側に嵌合部材を設け、両側の嵌合部材の間を伸ばすことによって陰茎の彎曲を矯正する。このような装置は、単に曲がった陰茎を矯正するための装置であって、陰茎の矮小症や早漏症を克服するための構成や効果はない。
【０００７】
また、ドイツ特許公報ＤＥ１６６１８８号は、尿道を真っ直ぐにすることで男性の陰茎が曲がるようにし、排尿時に痛症を誘発する収縮性のある刺激を治療する装置に言及している。しかしながら、上記のような従来の技術は、男性の陰茎のサイズと長さによって正確に支持することができる程度に作られただけで、矮小症を克服するための装置は備えておらず、排尿時の苦痛を解消するために彎曲症に対する治癒目的に使われるもので、陰茎の勃起前後に対する矯正機能がなくて使用者に不便を与えるという問題がある。
【０００８】
従来技術は、二つの延長部材と、前記二つの延長部材によって支持される亀頭収容部材と、延長部材を支持するベース部材とを常に同時に着用しなければならないという不便があり、全体構成を着用しても、着用後に性器の位置や方向が固定されないため、日常生活が不便な問題点がある。
【０００９】
亀頭矮小症、陰茎の伸張や彎曲症を治癒するためには、所定の時間内に持続的な牽引が必須であるが、亀頭のサイズが小さい場合、牽引のための亀頭の固定または把持が容易でない。特に、従来の牽引のための亀頭の装置は、亀頭の全体を均一な把持力で固定することができないため、亀頭のサイズが小さいものは抜けやすく、着用した状態で運動することが困難である。
【００１０】
大韓民国公開特許第２０１６−０１２３８９６号には、男性性機能増進用牽引装置が開示されており、大韓民国公開特許第２０１１−００１０７１４号には、陰茎保持及び陰茎固定方法が開示されている。
【００１１】
大韓民国公開実用新案２０１３−０００７３９８号には、陰茎強化器具が開示されている。開示された陰茎強化器具は、所定の重りに掛けがね成形部材が設置されて、陰茎の端部に装着する構造を有している。
【００１２】
しかしながら、このような技術的構成は、重りが陰茎に固定されているため行動が不自然であり、重りが設置された輪成形部材に直接固定されるため、装着時に装着部の苦痛があり得る。
【００１３】
陰茎を牽引するための矯正装置の場合、陰茎の亀頭と隣接する部位を縛ったり締めて支持するために血液循環が円滑に行われず、着用した状態で陰茎が勃起する場合、把持力の調整（可変）ができないためにひどい痛症を誘発することになる。また、勃起時に縛る部位が大きくなると、収縮した時に陰茎が縛る部位から抜けてしまうという問題点がある。亀頭部位を抜けないように縛る場合、縛った部位の痛症がひどいという問題点がある。
【発明の概要】
【発明が解決しようとする課題】
【００１４】
本発明が解決しようとする技術的課題は、陰茎の牽引時に陰茎の太さに関係なく陰茎の端部がひどく締められることを防止することができ、持続的な牽引力または引張力を利用して伸ばすことができ、陰茎の勃起または収縮時に把持力が可変されることによって陰茎の損傷と痛症の発生を防止することができる男性用陰茎ジェルク運動装置を提供することにある。
【００１５】
本発明の他の解決しようとする技術的課題は、引張力または牽引力によって睾丸が引っ張られることを防止し、牽引力による痛症や皮下出血などを防止することができ、陰茎を持続的にマッサージして男性ホルモンの分泌を促進することができ、陰茎の拡大効果を極大化することができる男性用陰茎ジェルク運動装置を提供することにある。
【課題を解決するための手段】
【００１６】
前記技術的課題を解決するための本発明の男性用陰茎ジェルク運動装置は、陰茎が挿入される中空部を有し、亀頭と隣接する側を把持して引っ張るための牽引部と、前記牽引部から陰茎を囲んで陰茎基部の体の側に延長されて体と接触し、亀頭を前面側に移動させる牽引力を提供する弾性牽引部とを備えた本体部、及び足または体に結合される締結部と、前記本体部の牽引部にかけられるもので投げ縄からなる結合部と、前記結合部と締結部とを連結して陰茎を牽引するための弾性力を提供する弾性バンド部とを含む牽引ユニットを備えたことを特徴とする。
【００１７】
本発明において、前記牽引部は、前記牽引部に巻かれて長さ方向の少なくとも一側の厚さが内方の厚さよりも厚いバンドを備え、前記本体部の端部が後方に折り返されて前記バンドを囲むことによって、前記結合部が結合される環状の結合引入溝が形成される。
【００１８】
前記本体部は、弾性を有する合成樹脂であるシリコーンからなり、前記弾性牽引部は、前記本体部の牽引部を前面側に移動させるために蛇形のしわが形成されてなる。そして、前記弾性牽引部に、前記弾性牽引部を長さ方向に弾性変形させるための弾性コア部材をさらに備える。
【００１９】
前記本体部の後端部である弾性牽引部の後端部側に、睾丸を囲んで股ぐらから分離して圧力を提供する睾丸リングをさらに備える。前記結合部は、弾性バンド部の端部に形成され投げ縄の形態からなる。
【００２０】
前記技術的課題を解決するための本発明の男性用陰茎ジェルク運動装置は、陰茎が挿入される中空部を有し、亀頭と隣接する側を把持して陰茎を引張させるための牽引部と、前記牽引部と陰茎基部側の体の間の陰茎に挿入されて陰茎を引張する方向に弾性バイアスさせるための少なくとも一つの弾性支持リングとを備える。
【発明の効果】
【００２１】
本発明の男性用陰茎ジェルク運動装置は、体の動きを利用して陰茎に持続的な可変牽引力を提供することができる。特に、牽引のために長さ方向の両側が厚いバンドが陰茎の端部に巻かれることで結合部が結合されて陰茎に牽引力が提供されるので、陰茎の牽引による痛症を減少させることができる。
【００２２】
また、バンドは弾性力を有する材質からなるので、バンドの巻取張力とシリコーンからなる本体部の伸縮力を利用して把持力の調整が可能であり、陰茎の勃起及び収縮時に伸縮による把持力が可変されることによって牽引部から陰茎が離脱するのを防止することができる。特に、陰茎に対する牽引部の把持による弾性力を可変させることができるので、着用した状態でも小便をすることができる。
【００２３】
そして、本発明の男性用陰茎ジェルク運動装置は、牽引部と体との間の陰茎に複数の弾性支持リングが設置されることによって、陰茎の端部を前面側に押して陰茎に引張力を提供することができ、別途の牽引のための装置が不必要であるので、構造が相対的に簡単である。また、着用した後、身体活動の自由度を高めることができる。
【図面の簡単な説明】
【００２４】
【図１】本発明による男性用陰茎ジェルク運動装置の実施例を示す斜視図。
【図２】本発明による男性用陰茎引張及び矯正装置の一部切除拡大斜視図。
【図３】男性用陰茎引張及び矯正装置の断面図。
【図４】図１に示したバンドの実施例を抜粋して示す斜視図。
【図５】図１に示したバンドの実施例を抜粋して示す斜視図。
【図６】本発明による男性用陰茎引張及び牽引装置の他の実施例を示す斜視図。
【図７】本発明による男性用陰茎引張及び矯正装置の他の実施例を示す断面図。
【図８】本発明による男性用陰茎引張及び矯正装置の他の実施例を示す斜視図。
【図９】本発明による男性用陰茎引張及び矯正装置の他の実施例を示す斜視図。
【図１０】図９に示した男性用陰茎引張及び矯正装置の断面図。
【図１１】本発明による男性用陰茎引張及び矯正装置の使用状態図。
【発明を実施するための形態】
【００２５】
本発明による男性用陰茎ジェルク運動装置１０は、陰茎に持続的な引張力または牽引力を提供して陰茎を矯正することができるもので、図１〜図７に実施例を示す。
【００２６】
図面を参照すれば、本発明による男性用陰茎ジェルク運動装置１０は、陰茎に持続的な牽引力と可変的な牽引力を提供することができるもので、陰茎１００が挿入される中空部２１を有する本体部２０と、前記本体部２０の端部に形成された牽引部２２に持続的に牽引力を提供する牽引ユニット５０とを含む。
【００２７】
前記本体部２０は、フレキシブルな合成樹脂であるシリコーンからなるが、これに限定されず、固有の弾性力を有して伸縮可能な素材、つまり天然ゴムや発泡ゴムなどからなってもよい。
【００２８】
前記本体部２０は、前記のように陰茎が挿入される中空部２１が設けられ、この端部には後述する牽引ユニット５０の結合部５１と結合される牽引部２２が備えられ、前記牽引部２２から後方即ち陰茎１００の基部側に延長される弾性牽引部２５を備える。前記本体部２０の弾性牽引部２５と牽引部２２は、弾性牽引部２５の後端部から牽引部２２の前端部側に行くほど漸次に直径が小さくなるように形成される。弾性牽引部２５は、その内周面が陰茎の外周面に接触しないように形成されることが好ましい。そして、前記牽引部２２の厚さは、前記弾性牽引部２５よりも薄く形成される。
【００２９】
前記牽引部２２は、本体部２０の前面側に位置されるもので、本体部の端部側に後述するバンド３０が巻かれるバンド巻取部２２ｃと、外側で後方側に折り返されたバンディング部２２ａとを備える。前記バンディング部２２ａは、折り返された内側、即ち本体部２０の外周面とバンディング部２２ａの内周面との間に位置するバンド３０（後述参照）によって結合引入溝２２ｂを形成する。
【００３０】
このバンド３０は、図１及び図４、５に示すように、弾性力を有する樹脂またはゴム材または弾性力を有する布からなり、陰茎に対する巻取力を調節して牽引部２２による陰茎の把持力を調整することができる。このバンド３０は、所定の長さを有するストリップ状に形成され、長さ方向の両側または一側の厚さＴ１が、内方部位の厚さＴ２よりも相対的に厚く形成される。しかしながら、これに限定されず、図５に示すように、前面側の辺縁の厚さＴ３が、後面側の辺縁の厚さＴ１よりも厚く形成されてもよい。
【００３１】
このような厚さの差は、長さ方向に折って返し縫い処理することで形成され得る。そして、前記バンド３０の幅は、前記本体部２０の端部が折り返されたバンディング部２２ａの幅よりも相対的に狭く形成される。前記バンディング部２２ａと本体部２０との間に巻かれたバンド３０は、バンディング部２２ａの外周面に結合引入溝２２ｂを形成する。即ち、両端部が相対的に厚く形成されたバンド３０が巻かれることによって、巻かれたバンド３０の両側が重畳されて辺縁が中央部よりも高く形成される。前記結合引入溝２２ｂの形成は、上述した実施例に限定されず、前記本体部２０の外周面が相対的に厚く形成され、この外周面に所定の長さで引入された結合引入溝２２ｂが形成されてもよい。
【００３２】
そして、前記本体部２０をなす弾性牽引部２５は、牽引部２２から後端部側に延長して形成されるもので、陰茎１００の挿入時に陰茎１００の亀頭を前面側に移動させて牽引力を提供することができるように、長さ方向に伸張される蛇形構造を有する。即ち、蛇形構造は、本体部２０の弾性牽引部２５の内周面と外周面が長さ方向に連続した螺旋または波形の凹凸により形成される。このような弾性牽引部２５は、この実施例に限定されず、材質固有の弾性力によって伸張される構造であってもよい。このため、図７に示すように、蛇形部の内部に相対的に直径の小さい弾性コア部材２５ａが挿入されてもよい。前記弾性牽引部２５に伸張のための弾性力を提供する弾性コア部材２５ａは、コイルスプリングからなることができるが、これに限定されず、蛇形構造の弾性片からなってもよい。前記弾性牽引部２５は、牽引部２２側から後方に行くほどその厚さが相対的に厚くなって弾性力を提供することができる。
【００３３】
図１及び図２に示すように、本体部２０の後端部側には睾丸１２０を入れる睾丸リング２７が設置される。この睾丸リング２７は、睾丸を股ぐらから分離させると同時に本体部２０が陰茎から離脱するのを防止する。前記睾丸リング２７は、前述した本体部２０と一体に形成されてもよいし、本体部２０と結合及び分離可能な構造からなってもよい。
【００３４】
前記本体部２０は、図７に示すように、牽引部２２と弾性牽引部２５及び睾丸リング２７が設置される部位は、分離及び結合可能な構造からなってもよい。このように分離された本体部２０は、使用者の必要に応じて選択的に用いることができる。
【００３５】
前記牽引ユニット５０は、陰茎１００が挿入された本体部２０の牽引部２２を不均一な牽引力で持続的に牽引することができるもので、前記牽引部２２に結合される結合部５１と、足または体に結合される締結部５５と、前記本体部２０の牽引部２２にかけられる結合部５１と締結部５５とを連結して前記陰茎を牽引するための弾性力を提供する弾性バンド部５２とを備える。
【００３６】
前記牽引ユニット５０の結合部５１は、図１及び図２に示すように、投げ縄の形態からなるもので、結合紐５１ａの端部に輪部５１ｂが形成され、他側端部が前記輪部５１ｂに挿入されて輪を形成した後に伸縮可能な弾性バンド部５２に結合された構造を有する。前記結合紐５１ａは、必ずしも弾性力を有する必要はない。
【００３７】
前記締結部５５は、弾性バンド部５２と結合されるもので、膝と隣接する側の太ももに固定することができるように太ももの外周面に沿って設置される締結本体部５５ａと、締結本体部５５ａの端部を相互結合する締結本体結合部５５ｂとを備える。前記締結本体結合部５５ｂは、締結本体部５５ａの両端部を連結するベルクロ（登録商標）テープからなることができるが、これに限定されない。
【００３８】
前記締結部５５は、足に固定することを例として説明したが、これに限定されず、首、腰などに着用する構造からなってもよい。
【００３９】
そして、牽引ユニット５０は、前記締結部５５と連結されて足に結合される補助弾性バンド部５７をさらに備えることができる。前記補助弾性バンド部５７の端部には、足が挿入される補助輪部５７ａが形成されてもよい。
【００４０】
一方、図８〜図１０には、前記本体部の他の実施例を示す。この実施例において、前記実施例と同じ図面符号は同じ構成要素を示す。
【００４１】
前記本体部７０は、牽引部２２と、複数の弾性支持リング７５からなることができる。前記牽引部２２は、前述した牽引部２２の構造と実質的に同じ構造からなることができる。前記牽引部２２は、相対的に直径の大きい牽引本体部２２ｄと、牽引本体部２２ｄから延長されるバンド巻取部２２ｃと、外側で後方側に折り返されたバンディング部２２ａとを備える。前記バンド巻取部２２ｃにはバンドは巻かれず、固定のための固定結合バンド２４が設置される。前記固定結合バンド２４は、バンド巻取部２２ｃに設置されるかバンド巻取部２２ｃを覆うように折り返されたバンディング部２２ａに設置される。前記牽引部２２は、前記実施例のように、バンド３０が巻かれて牽引ユニットによって牽引されてもよい。
【００４２】
前記弾性支持リング７５は、中空部を有し、内部が中空のタイヤ形状に形成されることができるが、これに限定されず、ドーナツ形状のチューブからなってもよい。チューブからなる場合、内部に空気を充填することができる。前記弾性支持リング７５は、それぞれシリコーン材でなることができ、幅方向へ圧縮された時に復元力を有するように十分な弾性力を持つ厚さを有することが好ましい。
【００４３】
前述のように構成された本発明による男性用陰茎ジェルク運動装置の作用を以下で説明する。
【００４４】
本発明による男性用陰茎ジェルク運動装置１０を利用して男性用陰茎矮小症を治療するための牽引力の提供及び勃起の活性化のためにマッサージをするには、図１〜図６及び図１１に示すように、本体部２０の中空部２１に陰茎１００を挿入する。この時、前記本体部２０の牽引部２２は、亀頭部１１０と隣接した後面に位置することが好ましい。
【００４５】
この状態で、前記牽引部２２の外周面にバンド３０を巻く。このようにすれば、前記バンド３０の両端部は厚くなっているので、中央部が引入された形態の巻取状態を保持することになる。前記バンド３０を牽引部２２のバンド巻取部２２ｃに巻く時に、弾性力を有するバンド３０の巻取力を調整することで陰茎１００の把持力を調整することができる。即ち、バンド３０の巻取力を大きくすると把持力が相対的に大きくなり、バンド３０の巻取力を減らすと把持力を減らすことができる。
【００４６】
前記のようにバンド３０が巻かれた状態で本体部２０の端部を外側方向に折り返して、バンディング部２２ａによってバンド３０を包むようにすることでバンド３０が解けないようにする（図２参照）。
【００４７】
このように装着する場合、前記本体部２０の材質はシリコーンからなるので、陰茎１００との密着力が相対的に大きくなって滑りは発生せず、前記バンド３０によって把持力を加減することができる。特に、巻かれたバンド３０は、バンディング部２２ａによって包まれるので解けなくなる。
【００４８】
前記牽引部２２が設置される部位は、陰茎１００の中間または亀頭部１１０と隣接する側、即ち、陰茎の２／３地点に設置されることが好ましい。包茎の陰茎１００の場合は、陰茎の表皮に位置されることが好ましい。この場合、表皮が押されて亀頭部にかかるようになることで陰茎１００が固定される。特に、本発明による牽引部２２は、相対的に幅の広いバンド３０を利用して結ぶので、苦痛を最小化することができる。
【００４９】
そして、睾丸リング２７ａに睾丸１２０を挿入して、睾丸１２０を股ぐらから分離させるとともに本体部２０を陰茎に固定する。
【００５０】
前記のようにして本体部２０の設置が完了すると、図１１に示すように、牽引ユニット５０の締結部５５を足の太もも部位に着用する。そして、弾性バンド部５２と連結された結合部５１を前記牽引部２２の結合引入溝２２ｂ部位にかけて、陰茎が弾性バンド部５２の弾性力によって牽引されるようにする。そして、前記締結部５５と連結される補助弾性バンド部５７の端部の補助輪部５７ａに足を挿入して、歩行時に前記締結部５５が上方へ移動しないようにする。
【００５１】
このような過程で、前記のように本体部２０は弾力を有するシリコーンまたはゴム材からなり、バンディング部２２ａによって折り返された状態であるので、陰茎が相対的に小さかったり亀頭が小さい場合にも陰茎から本体部２０が離脱するのを防止することができる。
【００５２】
前記のように陰茎への締結が完了すると、前記締結部５５と連結された弾性バンド部５２によって牽引力が発生する。この状態で歩くと、前記弾性バンド部５２は歩みに合わせて周期的に伸縮されるので、陰茎に可変された牽引力を持続的に提供することができる。特に、本体部２０には弾性牽引部２５が設置されているので、弾性牽引部２５によって持続的に亀頭を前方に押して牽引力を提供することができる。従って、着用者が歩かない状態でも、陰茎１００には持続的に牽引力が作用するようになる。このような牽引力の作用により、陰茎１００の長さを長くすることができる。
【００５３】
前記のように、陰茎１００に引張力が作用する過程で結合部５１が投げ縄の形態になっているので、引っ張ると一瞬締付力が発生し、牽引力が解消されると投げ縄が解けるようになっており、締め付けと解けを繰り返すことによって血液循環を活性化する。
【００５４】
特に、締結部５５と連結された弾性バンド部５２が、足の間または足の間の後方に位置されるようにすることで、前記陰茎１００が挿入された本体部２０が、股ぐらの間から両足の間に位置されるようにすることができる。この場合、着用者が歩くと、両足が前記本体部２０を擦ることによって陰茎をマッサージをし、縛られた状態でも血液循環を活性化することができる。また、陰茎１００を周期的にマッサージする効果が極大化されることによって、男性ホルモンの分泌を促進することができる。前記のように陰茎を摩擦する過程で、睾丸も両足の間に位置するので歩く過程で両足によって陰茎と一緒に揉むようになってマッサージをすることで男性ホルモンの排出をさらに活性化させ、ひいては鋭敏な感覚部位を相対的に鈍くすることができる。
【００５５】
特に、牽引部２２によって下方に陰茎１００を引張させるので、歩く時や働く時に干渉を最小化することができ、外部から肉眼では着用有無を確認することが難しい。また、着用している状態で、結合部５１、即ち、投げ縄形態の結合部を利用して牽引部２２と容易に結合及び分離することができるので、引張力の調整が容易である。
【００５６】
一方、図８〜１０に示すように、本体部７０が牽引部２２と複数の弾性支持リング７５からなる場合、複数の前記弾性支持リング７５を陰茎に挿入して圧縮した状態で、前記牽引部２２を陰茎１００の端部即ち亀頭部１１０と隣接する側に固定する。このようにすれば、前記弾性支持リング７５によって前記牽引部２２が前面側に弾性バイアスされながら陰茎１００を引張させる。
【００５７】
以上で説明したように、本発明による男性用陰茎ジェルク運動装置は、陰茎に持続的及び可変的な牽引力を提供することによって、持続的な刺激を与えることができ、牽引のための結合部と結合される部位に痛症が加えられたり血液循環が抑制されることを根本的に防止することができる。特に、陰茎に周期的な刺激を与えることによって、男性ホルモンの分泌を促進することができる。
【００５８】
本発明は図面に示した実施例を参考として説明したが、これは例示的なものに過ぎず、本技術分野において通常の知識を有する者であれば、これから多様な変形及び均等な他の実施例が可能であるということを理解すべきである。従って、本発明の真の技術的保護範囲は、添付された特許請求の範囲の技術的思想によって定められるべきである。
【図１】
2020510468.tif 000003
【図２】
2020510468.tif 000004
【図３】
2020510468.tif 000005
【図４】
2020510468.tif 000006
【図５】
2020510468.tif 000007
【図６】
2020510468.tif 000008
【図７】
2020510468.tif 000009
【図８】
2020510468.tif 000010
【図９】
2020510468.tif 000011
【図１０】
2020510468.tif 000012
【図１１】
2020510468.tif 000013
【国際調査報告】
2020510468.tif 000014
2020510468.tif 000015
2020510468.tif 000016
2020510468.tif 000017